(57)【要約】【課題】グラウンド電圧の変動の影響を抑制して、読み取った原稿画像の画質の低下を防止する画像読取装置を提供する。【解決手段】画像読取装置は、原稿の画像を読み取るためのＣＩＳ１１６と、ＣＩＳ１１６の動作を制御するメイン基板２００と、を備える。ＣＩＳ１１６は、原稿に光を照射するＬＥＤ１２２、原稿による光の反射光を受光して、受光した反射光に応じた電気信号を出力するラインセンサ１２５、及び擬似負荷２０５を備える。メイン基板２００は、ＣＩＳ１１６にＬＥＤ１２２を点灯させて読取動作を行わせる場合に擬似負荷２０５を非動作状態にし、ＣＩＳ１１６にＬＥＤ１２２を消灯させて読取動作を行わせる場合に擬似負荷２０５を動作状態にする。これによりＬＥＤ１２２の点灯時と消灯時のＣＩＳ１１６のグラウンド電圧が同等になる。【選択図】図２
2020005048.tif 000002
【特許請求の範囲】
【請求項１】
原稿の画像を読み取るためのセンサユニットと、前記センサユニットの動作を制御するコントローラと、を備え、
前記センサユニットは、
前記原稿に光を照射する光源と、
前記原稿による前記光の反射光を受光して、受光した反射光に応じた電気信号を出力するセンサと、
擬似負荷と、を備え、
前記コントローラは、
前記センサユニットに前記光源を点灯させて読取動作を行わせる場合は前記擬似負荷を非動作状態にし、前記センサユニットに前記光源を消灯させて読取動作を行わせる場合は、前記光源の点灯時と消灯時の前記センサユニットのグラウンド電圧を同等にするために、前記擬似負荷を動作状態にする制御手段と、を備えることを特徴とする、
画像読取装置。
【請求項２】
前記センサユニットと前記コントローラとを接続して、前記センサユニットで消費される電流を前記コントローラへ流すためのリターンパスを形成するケーブルをさらに備えており、
前記センサユニットは、前記光源の消灯時に前記擬似負荷が動作状態になることで、前記リターンパスに流す電流量が、前記光源の点灯時と前記光源の消灯時とで同量になることを特徴とする、
請求項１記載の画像読取装置。
【請求項３】
前記ケーブルは、前記センサユニットのグラウンドパターンと前記コントローラのグラウンドパターンとを共通に接続することを特徴とする、
請求項２記載の画像読取装置。
【請求項４】
前記センサユニットは、前記光源を駆動するドライバをさらに備えており、
前記コントローラは、
前記ドライバに第１電源電圧を供給する第１電源と、
前記センサ及び前記擬似負荷に第２電源電圧を供給する第２電源と、をさらに備えており、
前記光源の消灯時に前記擬似負荷を動作状態にすることで、前記第２電源電圧と前記センサユニットのグラウンド電圧との電位差を、前記光源の点灯時と前記光源の消灯時とで同値にすることを特徴とする、
請求項１〜３のいずれか１項記載の画像読取装置。
【請求項５】
前記センサユニットは、前記コントローラから取得する制御信号に応じて前記第２電源電圧の前記擬似負荷への供給を制御すことで、前記擬似負荷の動作状態と非動作状態とを切り替える切替手段をさらに備えることを特徴とする、
請求項４記載の画像読取装置。
【請求項６】
シェーディング補正に用いられる基準部材をさらに備えており、
前記制御手段は、前記センサユニットに、前記光源を点灯させ且つ前記擬似負荷を非動作状態にして前記基準部材を読み取らせ、その読取結果に応じて白シェーディング補正を行い、前記光源を消灯させ且つ前記擬似負荷を動作状態にして前記基準部材を読み取らせ、その読取結果に応じて黒シェーディングを行うことを特徴とする、
請求項１〜５のいずれか１項記載の画像読取装置。
【請求項７】
原稿に光を照射する光源と、前記原稿による前記光の反射光を受光して、受光した反射光に応じた電気信号を出力するセンサと、擬似負荷と、を備えるセンサユニットに接続され、
前記センサユニットに前記光源を点灯させて読取動作を行わせる場合は前記擬似負荷を非動作状態にし、前記センサユニットに前記光源を消灯させて読取動作を行わせる場合は、前記光源の点灯時と消灯時の前記センサユニットのグラウンド電圧を同等にするために、前記擬似負荷を動作状態にする制御手段を備えることを特徴とする、
制御装置。
【請求項８】
原稿に光を照射する光源と、前記原稿による前記光の反射光を受光して、受光した反射光に応じた電気信号を出力するセンサと、擬似負荷と、を備えるセンサユニットに接続されるコントローラにより実行される方法であって、
前記コントローラが、
前記センサユニットに前記光源を点灯させて読取動作を行わせる場合は前記擬似負荷を非動作状態にし、
前記センサユニットに前記光源を消灯させて読取動作を行わせる場合は、前記光源の点灯時と消灯時の前記センサユニットのグラウンド電圧を同等にするために、前記擬似負荷を動作状態にすることを特徴とする、
センサユニットの制御方法。
【発明の詳細な説明】
【技術分野】
【０００１】
本発明は、原稿から画像（原稿画像）を読み取る画像読取装置に関する。
【背景技術】
【０００２】
複写機やファクシミリ装置等に搭載される画像読取装置は、原稿台ガラス上に載置された原稿やＡＤＦ（Auto Document Feeder）から給紙された原稿の原稿画像をセンサユニットにより読み取る。センサユニットは原稿を照射する光源及び原稿による反射光を受光するラインセンサを備える。ラインセンサは、受光した反射光を光電変換して原稿画像を表す電気信号を出力する。
【０００３】
ラインセンサは、反射光を受光するための複数の受光素子を備える。ラインセンサは、原稿画像を読み取る前に、各受光素子の出力のバラツキを補正するためのシェーディング補正が行われる。シェーディング補正は、光源を消灯して行う黒シェーディング補正と、光源を点灯して行う白シェーディング補正と、がある。黒シェーディング補正は、電源消灯時の受光素子の出力（暗出力）のバラツキを補正する処理である。白シェーディングは、電源点灯時の受光素子の出力（明出力）のバラツキを補正する処理である。
【０００４】
センサユニットは、光源及びラインセンサの他に、ラインセンサから出力される電気信号にＡＤ変換を含む所定の処理を行うＡＦＥ（Analog Front End）等の部品が一体に構成される。センサユニットは、画像読取装置のメイン基板からフラットケーブル等の配線を介して電源電圧が供給される。センサユニットの各部品に対して共通の電源装置から電源電圧が供給される場合、電源装置の供給能力によっては、光源の消灯時と点灯時とで電源電圧の電圧値（電源電圧値）が変動することがある。即ち、光源が点灯することで、光源に流れる電流が増加するために電源電圧値が降下することがある。
【０００５】
ラインセンサは、供給される電源電圧の変動によって、出力特性が変化する。例えば光源の消灯時と点灯時とで電源電圧値が変動するために、ラインセンサは、光源の消灯時と点灯時とで出力特性が変化する。そのために、黒シェーディング補正時と白シェーディング補正時とで、ラインセンサの出力特性が変化し、正確なシェーディング補正が困難になる。これは、読み取った原稿画像の画質低下の原因となる。
特許文献１には、光源の消灯時と点灯時とで電源電圧の変動を抑制するために、消灯時に擬似負荷（ダミー負荷）を駆動する画像読取装置が開示される。この画像読取装置は、光源の電源装置とラインセンサの電源装置とが共通であり、光源が消灯している場合に擬似負荷を駆動することで、光源の消灯時と点灯時とで電源電圧値を一定にする。
【先行技術文献】
【特許文献】
【０００６】
【特許文献１】特開２０１５−１０６７３９号公報
【発明の概要】
【発明が解決しようとする課題】
【０００７】
フラットケーブル等を介して電源電圧が供給されるセンサユニットは、コネクタに電源電圧が供給される電源端子とグラウンド端子とを備える。グラウンド端子によりセンサユニットとメイン基板とのグラウンド電圧が共通になる。グラウンド端子は、センサユニットのラインセンサ及び光源で消費した電流（リターン電流）をメイン基板へ流すためのリターンパスを構成する。フラットケーブル等にはインピーダンス成分がある。リターン電流とインピーダンス成分とによって、センサユニットのグラウンド電圧がメイン基板のグラウンド電圧よりも高くなる。そのために、光源の消灯時と点灯時とでリターン電流が変動する場合、グラウンド電圧も変動することになる。したがって、センサユニットに供給される電源電圧値を一定にしても、センサユニットのグラウンド電圧を基準とすると、光源の点灯時と消灯時とで電源電圧値が変動する。その結果、読み取られた原稿画像の画質が低下する。
【０００８】
本発明は、上記の問題に鑑み、グラウンド電圧の変動の影響を抑制して、読み取った原稿画像の画質の低下を防止する画像読取装置を提供することを主たる課題とする。
【課題を解決するための手段】
【０００９】
上記課題を解決する本発明の画像読取装置は、原稿の画像を読み取るためのセンサユニットと、前記センサユニットの動作を制御するコントローラと、を備え、前記センサユニットは、前記原稿に光を照射する光源と、前記原稿による前記光の反射光を受光して、受光した反射光に応じた電気信号を出力するセンサと、擬似負荷と、を備え、前記コントローラは、前記センサユニットに前記光源を点灯させて読取動作を行わせる場合は前記擬似負荷を非動作状態にし、前記センサユニットに前記光源を消灯させて読取動作を行わせる場合は、前記光源の点灯時と消灯時の前記センサユニットのグラウンド電圧を同等にするために、前記擬似負荷を動作状態にする制御手段と、を備えることを特徴とする。
【発明の効果】
【００１０】
本発明によれば、センサユニットのグラウンド電圧の変動を抑制することで、読み取った原稿画像の画質の低下を防止することが可能となる。
【図面の簡単な説明】
【００１１】
【図１】画像読取装置の構成図。
【図２】コントローラの説明図。
【図３】（ａ）、（ｂ）は、ＣＩＳ１１６のグラウンド電圧の説明図。
【図４】原稿画像の読取処理を表すフローチャート。
【発明を実施するための形態】
【００１２】
以下、図面を参照して実施形態を詳細に説明する。
【００１３】
（全体構成）
図１は、本実施形態の画像読取装置の構成図である。画像読取装置１００は、原稿搬送を行うＡＤＦ１０１と、原稿画像を読み取るリーダ１０２と、を備える。
【００１４】
ＡＤＦ１０１は、原稿１０３が載置される原稿トレイ１０４と、ＡＤＦモータ１０５と、原稿１０３をリーダ１０２の読取位置へ搬送する搬送経路と、原稿画像を読み取られた原稿１０３が排出される排紙トレイ１１１と、を備える。搬送経路には、給紙ローラ１０６と、分離ローラ対１０７と、搬送ローラ対１０８と、原稿エッジセンサ１０９と、排紙ローラ対１１０と、が設けられる。ＡＤＦ１０１は、リーダ１０２の配光変動に起因する読取画像の変動を補正するための基準部材となる白色ガイド板１１２を備える。
【００１５】
給紙ローラ１０６は、原稿１０３の原稿トレイ１０４への載置を阻害しないように、通常、ホームポジションである上方に待避している。給紙動作が開始されると、給紙ローラ１０６は、降下して原稿トレイ１０４に載置された原稿１０３の上面に当接して回転することで、原稿１０３を搬送経路へ給紙する。給紙ローラ１０６は、不図示のアームに軸支されており、該アームの揺動により上下に移動する。
【００１６】
給紙された原稿１０３は、分離ローラ対１０７により１枚ずつ分離されて搬送経路を搬送される。分離ローラ対１０７により搬送される原稿１０３は、搬送ローラ対１０８によりリーダ１０２による読取位置へ搬送される。原稿エッジセンサ１０９は、原稿１０３の搬送方向で搬送ローラ対１０８の下流側に配置され、搬送ローラ対１０８により読取位置へ搬送される原稿１０３を検知する。原稿エッジセンサ１０９が原稿１０３を検知したことを契機に、リーダ１０２は、読取位置における原稿１０３の読取動作を開始する。白色ガイド板１１２は、読取位置に、リーダ１０２に対向して配置される。読取位置で原稿画像が読み取られた原稿１０３は、排紙ローラ対１１０により排紙トレイ１１１へ排出される。排紙された原稿１０３、排紙トレイ１１１上に積載される。
【００１７】
リーダ１０２は、原稿台ガラス１１５と、流し読みガラス１１３と、ＣＩＳ（Contact Image Sensor）１１６と、ＣＩＳホルダ１１７と、タイミングベルト１１８と、光学モータ１１９と、を備える。原稿台ガラス１１５は、原稿１１４が載置可能である。流し読みガラス１１３は、ＡＤＦ１０１により搬送される原稿１０３の読取位置に配置される。ＣＩＳ１１６は、原稿画像を読み取るためのセンサユニットである。ＣＩＳ１１６は、ＣＩＳホルダ１１７に保持される。タイミングベルト１１８は、ＣＩＳホルダ１１７に結合される。光学モータ１１９は、駆動ギア１２０を介してタイミングベルト１１８に接続される。光学モータ１１９は、駆動ギア１２０を介してタイミングベルト１１８を駆動することで、ＣＩＳ１１６を図中矢印方向に往復動作させることができる。
【００１８】
原稿台ガラス１１５には、白色基準板１２１が設けられる。白色基準板１２１は、ＣＩＳ１１６から出射される光の光量調整及びシェーディング補正に用いられる基準部材である。
【００１９】
ＣＩＳ１１６は、ＡＤＦ１０１により搬送される原稿１０３から原稿画像を読み取る場合には、流し読みガラス１１３の下に位置し、読取位置を搬送される原稿１０３の原稿画像を読み取る。ＣＩＳ１１６は、原稿台ガラス１１５に載置された原稿１１４から原稿画像を読み取る場合には、原稿台ガラス１１５の下をタイミングベルト１１８により矢印方向に移動しながら原稿１１４の原稿画像を読み取る。この場合、ＣＩＳ１１６は、白色基準板１２１を用いたシェーディング補正を行う。
【００２０】
ＣＩＳ１１６は、光源であるＬＥＤ（Light Emitting Diode）１２２と、導光体１２３と、レンズアレイ１２４と、ラインセンサ１２５と、を備える。ＬＥＤ１２２は、Ｒ（赤）、Ｇ（緑）、Ｂ（青）に発光するＬＥＤで構成されている。導光体１２３は、ＬＥＤ１２２から発せられた光を主走査方向に均一に拡散して線状として、原稿を照射する。照射された光は原稿により反射される。原稿による反射光は、レンズアレイ１２４を介してラインセンサ１２５に導かれる。ラインセンサ１２５は、反射光を受光して光電変換を行い、画素毎の原稿画像を表す画像データを順次出力する。
【００２１】
（コントローラ）
図２は、画像読取装置１００の動作を制御するためのコントローラの説明図である。図２では、コントローラを構成するメイン基板２００とＣＩＳ１１６との構成について説明し、コントローラによるＡＤＦ１０１の動作制御を行う構成については説明を省略する。
【００２２】
メイン基板２００とＣＩＳ１１６とは、フラットケーブル（ＦＦＣ：Flexible Flat Cable）２０１により接続される。ＦＦＣ２０１は、メイン基板２００からＣＩＳ１１６上の各部品に対して電源電圧や制御信号を伝送し、ＣＩＳ１１６から画像データをメイン基板２００へ伝送する。ＦＦＣ２０１は、ＣＩＳ１１６で消費される電流（リターン電流）をメイン基板２００へ流すためのリターンパスを形成する。
【００２３】
ＣＩＳ１１６は、ＬＥＤ１２２及びラインセンサ１２５の他に、ＬＥＤドライバ２０２、ＡＦＥ２０３、切替回路２０４、及び擬似負荷２０５を備える。ＬＥＤドライバ２０２は、メイン基板２００から取得する制御信号に応じてＬＥＤ１２２を駆動する。ＬＥＤ１２２は、ＬＥＤドライバ２０２により点灯、消灯が制御される。ＡＦＥ２０３は、ラインセンサ１２５から出力される原稿画像に応じたアナログの電気信号に対して、サンプルホールド、オフセット処理、ゲイン処理等のアナログ処理を行い、デジタル信号である画像データに変換する。ＡＦＥ２０３は、画像データをメイン基板２００へ送信する。切替回路２０４は、メイン基板２００から取得する制御信号に応じてメイン基板２００から擬似負荷２０５への電源電圧の供給を制御する。これにより切替回路２０４は、擬似負荷２０５の動作状態と非動作状態との切り替えを行う。擬似負荷２０５は、動作時にＬＥＤ１２２と同等の負荷となる。
【００２４】
ＬＥＤドライバ２０２、ラインセンサ１２５、ＡＦＥ２０３、及び擬似負荷２０５のグラウンドは、ＣＩＳ１１６中で共通のグラウンドパターンで接続されており、ＦＦＣ２０１を介して、メイン基板２００のグラウンドパターンに接続されている。そのために、ＬＥＤドライバ２０２、ラインセンサ１２５、ＡＦＥ２０３、及び擬似負荷２０５のグラウンドパターンと、メイン基板２００のグラウンドパターンとは、共通になっている。
【００２５】
メイン基板２００は、ＬＥＤドライバ用電源２０６と、センサ／ＡＦＥ用電源２０７と、タイミング生成部２０８と、画像処理部２０９と、ＣＰＵ（Central Processing Unit）２１０と、を備える。
【００２６】
ＬＥＤドライバ用電源２０６は、ＬＥＤドライバ２０２を動作させるための電源電圧を供給する。センサ／ＡＦＥ用電源２０７は、ラインセンサ１２５及びＡＦＥ２０３を動作させるための電源電圧を供給する。つまりＬＥＤドライバ２０２とラインセンサ１２５とは、異なる電源電圧により駆動される。
タイミング生成部２０８は、ＬＥＤドライバ２０２を動作させる制御信号であるタイミング信号と、ＡＦＥ２０３のクロック信号やサンプリングタイミング信号と、切替回路２０４を動作させる制御信号であるタイミング信号と、を生成する。タイミング生成部２０８は、生成した各タイミング信号を、ＣＩＳ１１６の対応する各部へ送信する。画像処理部２０９は、ＣＩＳ１１６から取得する画像データに対してシェーディング補正等の画像処理を行う。ＣＰＵ２１０は、所定の制御プログラムを実行することで、画像読取装置１００全体の動作制御を行う。
【００２７】
（センサ／ＡＦＥ用電源の電源電圧値）
図３は、ＬＥＤ１２２の点灯時と消灯時とにおけるＣＩＳ１１６のグラウンド電圧の説明図である。ここでは、メイン基板２００側のグラウンド電圧を０［Ｖ］、センサ／ＡＦＥ用電源２０７からＣＩＳ１１６に供給される電源電圧値（センサ／ＡＦＥ電源電圧）を３．３［Ｖ］として説明する。
【００２８】
図３（ａ）は、擬似負荷２０５を動作させない場合のＣＩＳ１１６のグラウンド電圧を表す。ＣＩＳ１１６のグラウンド電圧は、ＬＥＤ１２２の点灯状態に応じて変動する。
【００２９】
ＬＥＤ１２２を消灯して読取動作を行う場合、つまり黒シェーディング補正を行う場合、ラインセンサ１２５及びＡＦＥ２０３が動作し、ＬＥＤドライバ２０２が動作しない状態となる。ラインセンサ１２５及びＡＦＥ２０３で消費する電流は、ＦＦＣ２０１を介してメイン基板２００のグラウンドへリターン電流として流れる。そのためにリターン電流とＦＦＣ２０１のインピーダンス成分との乗算分だけＣＩＳ１１６のグラウンド電圧が持ち上がることになる（ａ０Ｖ）。
【００３０】
ＬＥＤ１２２を点灯して読取動作を行う場合、つまり白シェーディング補正や原稿画像の読み取りを行う場合、ラインセンサ１２５、ＡＦＥ２０３、及びＬＥＤドライバ２０２が動作している状態となる。リターン電流は、黒シェーディング補正を行う場合に比較して、ＬＥＤ１２２が点灯している分だけ増加する。ＣＩＳ１１６のグラウンド電圧は、ＬＥＤ１２２が点灯する分だけ、ＬＥＤ１２２が消灯している場合よりも持ち上がったレベルとなる（ｂ０Ｖ）。
【００３１】
センサ／ＡＦＥ用電源２０７は、３．３［Ｖ］の一定電圧を電源電圧として供給している。しかし、ＣＩＳ１１６のグラウンド電圧を基準とした場合、ＬＥＤ１２２が消灯しているときの電源電圧（ａ１Ｖ）よりもＬＥＤ１２２が点灯しているときの電源電圧（ｂ１Ｖ）の方が低くなってしまう。つまり、センサ／ＡＦＥ用電源２０７から出力される電源電圧とＣＩＳ１１６のグラウンド電圧との電位差が、ＬＥＤ１２２の点灯状態に応じて変動する。
【００３２】
図３（ｂ）は、擬似負荷２０５を動作させる場合のＣＩＳ１１６のグラウンド電圧を表す。擬似負荷２０５の動作により、ＣＩＳ１１６のグラウンド電圧は、ＬＥＤ１２２の点灯状態に応じた変動が抑制される。
【００３３】
擬似負荷２０５は、ＬＥＤ１２２の消灯時にのみ動作する。ＬＥＤ１２２の消灯時に擬似負荷２０５が動作することで、ＬＥＤ１２２の消灯時のグラウンド電圧がａ２Ｖ分持ち上がり、ＬＥＤ１２２の点灯時のグラウンド電圧と同レベルになる。グラウンド電圧が同レベルになることで、ＣＩＳ１１６のグラウンド電圧を基準とした場合、ＬＥＤ１２２の消灯時と点灯時とでセンサ／ＡＦＥ用電源２０７から供給される電源電圧の差が抑制される。そのために、ＣＩＳ１１６のグラウンド電圧を基準とした場合のセンサ／ＡＦＥ用電源２０７から供給される電源電圧が、ＬＥＤ１２２の消灯時と点灯時とで同値（ｂ１Ｖ）になる。擬似負荷２０５が動作することで増加するリターン電流の電流量は、ＬＥＤ１２２の点灯時に増加するリターン電流の電流量と同量である。
【００３４】
（原稿画像の読取処理）
図４は、以上のような構成の画像読取装置１００による原稿画像の読取処理を表すフローチャートである。この処理は、例えばユーザが不図示の読取開始ボタンを押下して、読取開始の指示が入力された場合に実行される。
【００３５】
ＣＰＵ２１０は、読取開始の指示を取得すると、まず、黒シェーディング補正を開始する（Ｓ４０１）。ＣＰＵ２１０は、タイミング生成部２０８によりＬＥＤドライバ２０２へＬＥＤ１２２を消灯する指示（タイミング信号）を送信する。これによりＬＥＤ１２２が消灯する（Ｓ４０２）。なお、この間、ＬＥＤドライバ用電源２０６は電源電圧を供給したままである。
【００３６】
ＬＥＤ１２２を消灯したＣＰＵ２１０は、タイミング生成部２０８により切替回路２０４へ擬似負荷２０５を動作させる指示（タイミング信号）を送信する。これにより擬似負荷２０５が動作状態になる（Ｓ４０３）。
【００３７】
画像処理部２０９は、ＬＥＤ１２２が消灯し且つ擬似負荷２０５が動作した状態で、ＡＦＥ２０３から、ラインセンサ１２５の読取結果に応じた画像データ（黒データ）を取得する（Ｓ４０４）。黒データは、主走査方向の各画素の読取輝度値を含む。画像処理部２０９は、取得した黒データに応じて黒シェーディング補正値を算出する（Ｓ４０５）。画像処理部２０９は、黒データに含まれる主走査方向の各画素の読取輝度値が所定の輝度値になるような黒シェーディング補正値を画素毎に算出する。ＣＰＵ２１０は、生成された黒シェーディング補正値を所定のメモリに格納する。以上により黒シェーディング補正が終了する。
【００３８】
黒シェーディング補正後にＣＰＵ２１０は、白シェーディング補正を開始する（Ｓ４０６）。ＣＰＵ２１０は、タイミング生成部２０８によりＬＥＤドライバ２０２へＬＥＤ１２２を点灯する指示（タイミング信号）を送信する。これによりＬＥＤ１２２が点灯する（Ｓ４０７）。なお、この間、ＬＥＤドライバ用電源２０６は電源電圧を供給したままである。
【００３９】
ＬＥＤ１２２を点灯したＣＰＵ２１０は、タイミング生成部２０８により切替回路２０４へ擬似負荷２０５を非動作にする指示（タイミング信号）を送信する。これにより擬似負荷２０５が非動作状態になる（Ｓ４０８）。
【００４０】
画像処理部２０９は、ＬＥＤ１２２が点灯し且つ擬似負荷２０５が非動作になった状態で、ＡＦＥ２０３から、ラインセンサ１２５の読取結果に応じた画像データ（白データ）を取得する（Ｓ４０９）。この際、ＣＰＵ２１０は、ＣＩＳ１１６は、白色基準板１２１の下に移動しており、白色基準板１２１を読み取る。そのために白データは、白色基準板１２１の読取結果となる。白データは、主走査方向の各画素の読取輝度値を含む。画像処理部２０９は、取得した白データに応じて白シェーディング補正値を算出する（Ｓ４１０）。画像処理部２０９は、白データに含まれる主走査方向の各画素の読取輝度値が所定の輝度値になるような白シェーディング補正値を画素毎に算出する。ＣＰＵ２１０は、生成された白シェーディング補正値を所定のメモリに格納する。
【００４１】
ＣＰＵ２１０は、黒シェーディング補正値及び白シェーディング補正値に応じてシェーディング補正を行い、原稿画像を読み取る（Ｓ４１１）。ＣＰＵ２１０は、黒シェーディング補正値及び白シェーディング補正値に応じてＬＥＤ１２２の画素毎の発光量の制御や画像データの補正を行うことで、画質の低下を抑制して原稿画像の読み取りを行うことができる。
【００４２】
以上のように本実施形態の画像読取装置１００は、ＣＩＳ１１６に、ＬＥＤ１２２が点灯することで変動するリターン電流量に応じた擬似負荷２０５を備える。これによりＣＩＳ１１６は、ＬＥＤ１２２が消灯時であっても、擬似負荷２０５に流れる電流により、ＬＥＤ１２２が点灯時のリターン電流と同量のリターン電流を流すことができる。ＣＩＳ１１６は、黒シェーディング補正時には擬似負荷２０５が動作し、白シェーディング補正時には擬似負荷２０５が動作しないことで、ＣＩＳ１１６のグラウンド電圧を同値とすることができる。そのために、ＣＩＳ１１６のグラウンド電圧を基準とした電源電圧値を一定にすることができる。よって、正確なシェーディング補正が可能となる。
【図１】
2020005048.tif 000003
【図２】
2020005048.tif 000004
【図３】
2020005048.tif 000005
【図４】
2020005048.tif 000006